(57)【特許請求の範囲】
【請求項１】
電力量計の外箱に収納可能な電力量計用端子ブロックであって、計量パルスサービス端子及び通信端子に対して上部又は下部にスイッチ部を配置し、該スイッチ部を端子ブロックとは別の凹形の別ピースブロックに組み込むことを特徴とする電力量計用端子ブロック。
【請求項２】
電力量計の外箱に収納可能な電力量計用端子ブロックであって、計量パルスサービス端子及び通信端子に対して上部又は下部にスイッチ部を配置するとともに、計量パルスサービス端子と通信端子とスイッチ部とを、端子ブロックとは別の凹形の別ピースブロックに組み込み、該別ピースブロックをユニットとして端子ブロックに組み込むことを特徴とする電力量計用端子ブロック。
【発明の詳細な説明】
【０００１】
【発明の属する技術分野】
本発明は、電力量計の外箱に収納可能な電力量計用端子ブロックに関する。
【０００２】
【従来の技術】
図９に従来の複合計器の正面図を示す。図１０に従来の家庭用電力量計の正面図を示す。
【０００３】
需要契約をする大口需要家では、力率や需要電力、時間帯別電力量などを計量する複合計器を電力量の取引用計器として使用しており、この計器は、特別精密級又は精密級の全日電力量、力測有効電力量、力測無効電力量、需要電力等の計量項目を測定する。また、近年では、検針業務の合理化や客先へのデータ供給のため、通信機能を持つ複合形の電力量計が普及してきている。
【０００４】
複合計器は、電力量の取引に使用されるため、電力を提供する電力会社の費用で設置されており、その費用は電力会社の設備投資となり、そのまま電力料金に反映される。このため、少しでも安価で計量できる計器が要望されている。
【０００５】
安価な計器を提供するためのコストダウン手段としては、部品の共通化や小型化等が考えられる。まず、部品の共通化とは、大量に製造している量産効果のある部品と部品を共通にすることである。家庭用電力量計は、時間帯契約している全国の一般需要家に設置されていて、複合形電力量計より需要が多いため、家庭用電力量計と部品を共通にすることが望ましい。
【０００６】
図１０に示す家庭用電力量計は、図９に示す複合計器より機能や計量項目が少ないので、計器の外形寸法も小さく、端子ブロック１３にその機能を実現させるための手段を講じることができる。このため、複合計器のように、カバー１４に別のスイッチカバー１５を設けその中に最大需要電力用の復帰スイッチ４，設定／記憶スイッチ５，数字送りスイッチ６を設けることが不要である。このため、形状がシンプルでプレス加工により計器を製造でき、量産効果により安価な外箱を製造できる。
【０００７】
一方、図９に示す複合計器は、図１０に示す家庭用電力量計に比べて、客先への計量パルスサービスや通信、時刻設定、最大需要電力復帰等の機能があるため、これらを実現するための計量パルスサービス端子２，通信端子３、最大需要電力用の復帰スイッチ４，設定／記憶スイッチ５，数字送りスイッチ６、イヤホンジャック８が必要である。復帰スイッチ４，設定／記憶スイッチ５、数字送りスイッチ６は、カバー１４に設けた電力封印可能な別のスイッチカバー１５の中に設けられている。耐候性能を確保した上でカバー１４に別のスイッチカバー１５を構成するにはカバー１４の形状が複雑になる。このため、複合計器の外箱をプレス加工できず、ダイキャスト等の金型成形によって加工しているため、外箱のコストが高価なものとなっている。
【０００８】
複合計器の外箱を家庭用電力量計の外箱と共通化するためには、端子ブロック１２を小さくすることが必要であり、また、複合計器の機能を実現するための計量パルスサービス端子２、通信端子３、スイッチ４，５，６、イヤホンジャック８の構成を端子ブロック１３に設けることが必要である。これは端子ブロック１３を拡大する方向にあるため、両者は相反する。
【０００９】
一方、電力量計は、電気料金の取引きに使用されるため、全数検定を受けその有効期間内に内部を開けることができないように検定封印が施される。また、電力会社が管理する部分については、電力封印が施される。このような電力量計は、使用環境によって異なる耐候性能が要求され、強化耐候や普通耐候形の計器では、注水試験等の項目があり、複合計器の機能実現のために外箱に窓穴等を空けると、注水性能を確保するために窓部の構造が複雑になり、コストがアップすることになる。
【００１０】
また、家庭用電力量計の外箱に複合計器の機能を実現させるため、端子ブロック１２及び端子７やその他の構成部品を各々小さくすることが考えられるが、電力量計には電気回路間や電気回路とケース間、計量パルスサービス端子２と通信端子３等それぞれの電気回路間や対ケース間に絶縁性能が要求されている。このため、極端に小型化することは、絶縁距離を小さくし絶縁性能が確保できなくなる。
【００１１】
さらに、電流や電圧が入力される端子７は、過電流や過電圧が印加された場合に、異常がないように、また、電力損失が増大しないように金具自体もある程度の大きさが必要で、極端に小型化することはできない。
【００１２】
また、電力量計で電力会社の規格により要求される雷インパルス性能で、現在では６ｋＶ以上の性能が求められているため、端子間の絶縁隔壁等も必要となり、小型化の阻害要因の一つである。
【００１３】
【発明が解決しようとする課題】
このように、複合計器の機能を安価に実現するためには、大量に生産されている家庭用電力量計の外箱を流用することが望ましいが、そのためには複合計器の機能実現のための手段である計量パルスサービス端子２、通信端子３、スイッチ４，５，６を端子ブロック１３内に構成する必要があり、これが端子ブロック１３を拡大させる要因となり外箱を流用できない。また、コストダウンの一つとして、小型化するには端子間隔等の寸法を小さくする方法があるが、端子間隔を小さくすると、絶縁距離も小さくなり、絶縁性能が低下するので、限界がある。さらに、端子７を小さくすることは、過電流による発熱や電力損失が増大することが懸念されるため、極端に小さくできない。
【００１４】
本発明は、絶縁性能や耐候性能を確保しつつ、計量パルスサービス端子、通信端子、スイッチ部を端子ブロックの寸法を増加させずに配置し、電力量計のコストを低減することができる電力量計用端子ブロックを提供することにある。
【００１５】
【課題を解決するための手段】
前記課題を解決するために、本発明は、電力量計の外箱に収納可能な電力量計用端子ブロックであって、計量パルスサービス端子及び通信端子に対して上部又は下部にスイッチ部を配置し、該スイッチ部を端子ブロックとは別の凹形の別ピースブロックに組み込むことを特徴とする。
【００１６】
この発明によれば、計量パルスサービス端子及び通信端子に対して上部又は下部にスイッチ部を配置したので、端子ブロックの寸法を増加させずにすみ、電力量計のコストを低減することができる。また、スイッチ部を端子ブロックとは別の凹形の別ピースブロックに組み込むので、簡単に絶縁性能及び耐候性能を確保できる。
【００１７】
また、電力量計の外箱に収納可能な電力量計用端子ブロックであって、計量パルスサービス端子及び通信端子に対して上部又は下部にスイッチ部を配置するとともに、計量パルスサービス端子と通信端子とスイッチ部とを、端子ブロックとは別の凹形の別ピースブロックに組み込み、該別ピースブロックをユニットとして端子ブロックに組み込むことを特徴とする。
【００１８】
この発明によれば、計量パルスサービス端子及び通信端子に対して上部又は下部にスイッチ部を配置したので、端子ブロックの寸法を増加させずにすみ、電力量計のコストを低減することができる。また、予めスイッチ部と計量パルスサービス端子及び通信端子を端子ブロックとは別の凹形の別ピースブロックへ組み込み、該別ピースブロックをユニットとして端子ブロックへ組み込むことにより、直接、端子ブロックへ計量パルスサービス端子及び通信端子を組み込む時よりも簡単に組み込み作業ができる。
【００１９】
【発明の実施の形態】
以下、本発明に係る電力量計用端子ブロックの実施の形態について図面を参照しながら詳細に説明する。
【００２０】
（第１の実施の形態）
図１は第１の実施の形態に係る電力量計用端子ブロックに凹形の別ピースブロックを組み込んだ状態を示す正面図である。図２は第１の実施の形態に係る電力量計用端子ブロックに計量パルスサービス端子及び通信端子と凹形の別ピースブロックとを組み込む様子を示す正面図である。図３は第１の実施の形態に係る凹形の別ピースブロックにスイッチ部を組み込んだ状態を示す斜視図である。図４は図１のＡ−Ａ間の断面図である。図５は第１の実施の形態に係る電力量計用端子ブロックと凹形の別ピースブロックを有する電力量計を示す正面図である。
【００２１】
図１に示す電力量計用端子ブロック（以下、端子ブロックと称する）１は、図５に示すような家庭用電力量計の外箱に収納可能な細長い端子ブロックである。この端子ブロック１には、略左端から略中央に亙って端子７が配置され、この端子７の右側で且つ上部側には、スイッチ４，５，６からなるスイッチ部１０が配置され、端子７の右側で且つ下部側には、計量パルスサービス端子２及び通信端子３が配置されている。端子ブロック１の略右端にはイヤホンジャック８が配置されている。
【００２２】
スイッチ部１０は、最大需要電力用の復帰スイッチ４と設定／記憶スイッチ５と数字送りスイッチ６とからなり、図４に示すように、端子ブロック１と完全に分離するように端子ブロック１とは別の凹形のフェノール樹脂等からなる別ピースブロック９で覆われている。このため、スイッチ部１０と計量パルスサービス端子２及び通信端子３との絶縁性能を確保できるようになっている。
【００２３】
また、計量パルスサービス端子２及び通信端子３は、図４に示すように端子ネジ１７で締め付けられるようなっている。
【００２４】
このように第１の実施の形態に係る電力量計用端子ブロックによれば、図２に示すように、まず、計量パルスサービス端子２及び通信端子３を端子ブロック１に組み込み、組み込まれた計量パルスサービス端子２及び通信端子３の上部に、スイッチ４，５，６からなるスイッチ部１０を組み込んだ凹形の別ピースブロック９を配置して端子ブロック１に組み込む。
【００２５】
すなわち、計量パルスサービス端子２及び通信端子３とスイッチ部１０とを上下に配置して端子ブロック１内に構成することにより、端子ブロック１の横幅を、従来の家庭用電力量計の端子ブロック１３と同等の大きさにすることができ、端子ブロック１の横幅寸法を拡大させずにすむ。このため、複合計器の外箱と家庭用電力量計の外箱とを共通化でき、量産効果とにより電力量計のコストを低減できる。
【００２６】
また、計量パルスサービス端子２及び通信端子３は、ユーザが使用するため直接接触するものであり、スイッチ部１０の回路とは絶縁することが望ましい。このため、スイッチ部１０を凹形の別ピースブロック９で覆うことで簡単に絶縁性能及び耐候性能を確保できる。さらに、組立作業やスイッチ操作に支障がなくなる。
【００２７】
（第２の実施の形態）
次に本発明の第２の実施の形態に係る電力量計用端子ブロックについて説明する。図６は第２の実施の形態に係る凹形の別ピースブロックに計量パルスサービス端子と通信端子とスイッチ部を組み込む様子を示す背面斜視図である。図７は第２の実施の形態に係る凹形の別ピースブロックに計量パルスサービス端子と通信端子とスイッチ部を組み込んた状態を示す正面斜視図である。図８は第２の実施の形態に係る電力量計用端子ブロックに計量パルスサービス端子及び通信端子と凹形の別ピースブロックとを組み込む様子を示す正面図である。
【００２８】
図６に示すように、凹形の別ピースブロック１１は、上部にスイッチ部１０を組み込むとともに、下部に計量パルスサービス端子２及び通信端子３を組み込むよう構成されている。
【００２９】
このように第２の実施の形態に係る電力量計用端子ブロックによれば、図６に示すように、スイッチ部１０を上部に組み込む凹形の別ピースブロック１１に計量パルスサービス端子２及び通信端子３を組み込む。その後、図８に示すように、別ピースブロック１１を端子ブロック１６へ一体化して組み込む。これにより、スイッチ部１０と計量パルスサービス端子２及び通信端子３を上下に配置した端子ブロック１６を構成することができる。
【００３０】
すなわち、予めスイッチ部１０と計量パルスサービス端子２及び通信端子３を端子ブロック１６とは別の凹形の別ピースブロック１１へ組み込み、該別ピースブロック１１をユニットとして端子ブロック１６へ組み込むことにより、直接、端子ブロック１６へ計量パルスサービス端子２及び通信端子３を組み込む時よりも簡単に組み込み作業ができる。これにより、作業効率が向上する。
【００３１】
また、計量パルスサービス端子２及び通信端子３に対して上部又は下部にスイッチ部１０を配置したので、端子ブロック１６の寸法を増加させずにすみ、電力量計のコストを低減することができる。
【００３２】
【発明の効果】
本発明によれば、部品の共通化のため、複合計器の機能を実現するための計量サービスパルス端子、通信端子及びスイッチ部を端子ブロック内に設けるとともに、電力量計に要求される絶縁性能及び耐候性能を確保しつつ、従来の複合計器の端子ブロックを家庭用電力量計の端子ブロックと同等寸法にすることができる。その結果、家庭用電力量計との外箱の共通化ができ、電力量計のコストを低減することができる。
【図面の簡単な説明】
【図１】第１の実施の形態に係る電力量計用端子ブロックに凹形の別ピースブロックを組み込んだ状態を示す正面図である。
【図２】第１の実施の形態に係る電力量計用端子ブロックに計量パルスサービス端子及び通信端子と凹形の別ピースブロックとを組み込む様子を示す正面図である。
【図３】第１の実施の形態に係る凹形の別ピースブロックにスイッチ部を組み込んだ状態を示す斜視図である。
【図４】図１のＡ−Ａ間の断面図である。
【図５】第１の実施の形態に係る電力量計用端子ブロックと凹形の別ピースブロックを有する電力量計を示す正面図である。
【図６】第２の実施の形態に係る凹形の別ピースブロックに計量パルスサービス端子と通信端子とスイッチ部を組み込む様子を示す背面斜視図である。
【図７】第２の実施の形態に係る凹形の別ピースブロックに計量パルスサービス端子と通信端子とスイッチ部を組み込んた状態を示す正面斜視図である。
【図８】第２の実施の形態に係る電力量計用端子ブロックに計量パルスサービス端子及び通信端子と凹形の別ピースブロックとを組み込む様子を示す正面図である。
【図９】従来の複合計器の正面図である。
【図１０】従来の家庭用電力量計の正面図である。
【符号の説明】
１，１２，１３，１６…端子ブロック、２…計量パルスサービス端子、３…通信端子、４…復帰スイッチ、５…設定／記憶スイッチ、６…数字送りスイッチ、７…端子、８…イヤホンジャック、９，１１…別ピースブロック、１０…スイッチ部、１４…カバー、１５…スイッチカバー、１７…端子ネジ。
【図１】
0004284012.tif 000002
【図２】
0004284012.tif 000003
【図３】
0004284012.tif 000004
【図４】
0004284012.tif 000005
【図５】
0004284012.tif 000006
【図６】
0004284012.tif 000007
【図７】
0004284012.tif 000008
【図８】
0004284012.tif 000009
【図９】
0004284012.tif 000010
【図１０】
0004284012.tif 000011